(57)【要約】      （修正有）【課題】オリジナルなデザインを券面上に施した切手を発行するに際して、店頭などに陳列して販売するに適した購入者のコレクション性を刺激する専用の販売用包装部材を提供する。【解決手段】オリジナルデザインを施した少なくとも１枚の切手１を収容して店頭販売用に陳列するための包装用の部材３であって、収容したオリジナルデザイン切手１が容易に折り曲げられない強度を有したシート材２に切手収容部４を形成し、更に外部から中を観察することができないように少なくとも一部を不透明とした包装部材３によって被包するオリジナルデザイン切手１の販売用包装部材。【選択図】図１
2004210319.tif 000002
【特許請求の範囲】
【請求項１】
オリジナルデザインを施した少なくとも１枚の切手を収容して店頭販売用に陳列するための包装用の部材であって、収容したオリジナルデザイン切手が容易に折り曲げられない強度を有したシート材に切手収容部を形成し、更に外部から中を観察することができないように少なくとも一部を不透明とした包装部材によって被包することを特徴とするオリジナルデザイン切手の販売用包装部材。
【請求項２】
シート材に形成した切手収容部が外部から収容したオリジナルデザイン切手を観賞できるように透明素材によって形成され、しかも汚損を防止するためにオリジナルデザイン切手全体を被うことができるものであることを特徴とする請求項１に記載のオリジナルデザイン切手の販売用包装部材。
【請求項３】
シート材に収容したオリジナルデザイン切手と共にキャラクターカードやトレーディングカード、立体キャラクターフィギュアなどを併せて包装部材によって被包することを特徴とする請求項１又は請求項２に記載のオリジナルデザイン切手の販売用包装部材。
【請求項４】
包装部材として２分割できるようにされたカプセル形状のものを採用することを特徴とする請求項１から請求項３の何れか１つに記載のオリジナルデザイン切手の販売用包装部材。
【発明の詳細な説明】
【０００１】
【発明の属する技術分野】
本発明は、オリジナルなデザインを券面上に施した切手を発行するに際し、店頭に陳列して販売するに適した購入者のコレクション性を刺激する専用の販売用包装部材を提供するものである。
【０００２】
【従来の技術】
郵便切手は、従来から郵便事業を行なう公的機関がその券面上のデザインや券面金額を選定して所定枚数を発行するものとして取り扱われているが、美的デザインに優れたものや発行枚数が少ない記念切手、印刷ミスが見過ごされて市場に出回ってしまった稀少切手などは、単に手紙に貼り付けて郵便料金支払いのために用いるのではなく、収集家のコレクションの対象などともされている。
【０００３】
また、通常の郵便切手の販売方法は、郵便局の窓口での販売や許可を受けた特定の店舗での販売、稀少性が少なく券面金額も低いものについての少量販売については郵便局近傍などに設置された専用自動販売機による販売も行なわれている。
【０００４】
【発明が解決しようとする課題】
しかし、郵便事業に対する規制緩和が進展することで、郵便切手の発行も偽造などの不正行為に対してのセキュリティ性が確保できるのであれば、私企業や一般私人の要望に応じたオリジナルデザインを採用して所定枚数を発行するといったことが実現される可能性が生じている。
【０００５】
このような私的要望に応えたオリジナルデザインの郵便切手は、個人の肖像写真などを利用した個人的記念切手としての需要もあるが（事実、諸外国ではこのような記念切手が適当な手数料を支払うことで発行可能となっている）、優れたオリジナルデザインを施して発行枚数を規制することで従来の切手よりも更にコレクション性の優れたものとして需要者に認知される可能性もある。
【０００６】
しかしながら、現時点ではこのような私的要望に応えた郵便切手の発行はわが国では行なわれておらず、したがって、オリジナルデザインによるコレクション性に着目した販売手法などについては何ら提案されていない。
【０００７】
【課題を解決するための手段】
本発明は、上記したような従来技術における課題を解消することについて、実験と検討を繰り返し行い創案されたものであって、オリジナルなデザインを採用してコレクション性を高めた切手を各種店舗等で販売するに当り、購入者の興味をより強く惹くために店頭陳列用の特別な専用の包装部材を提案するものであって、具体的には以下のとおりである。
【０００８】
（１）  オリジナルデザインを施した少なくとも１枚の切手を収容して店頭販売用に陳列するための包装用の部材であって、収容したオリジナルデザイン切手が容易に折り曲げられない強度を有したシート材に切手収容部を形成し、更に外部から中を観察することができないように少なくとも一部を不透明とした包装部材によって被包することを特徴とするオリジナルデザイン切手の販売用包装部材。
【０００９】
（２）  シート材に形成した切手収容部が外部から収容したオリジナルデザイン切手を観賞できるように透明素材によって形成され、しかも汚損を防止するためにオリジナルデザイン切手全体を被うことができるものであることを特徴とする前記（１）項に記載のオリジナルデザイン切手の販売用包装部材。
【００１０】
（３） シート材に収容したオリジナルデザイン切手と共にキャラクターカードやトレーディングカード、立体キャラクターフィギュアなどを併せて包装部材によって被包することを特徴とする前記（１）項又は（２）項に記載のオリジナルデザイン切手の販売用包装部材。
【００１１】
（４） 包装部材として２分割できるようにされたカプセル形状のものを採用することを特徴とする前記（１）項から（３）項の何れか１つに記載のオリジナルデザイン切手の販売用包装部材。
【００１２】
【作用】
オリジナルデザインを施した少なくとも１枚の切手を収容して店頭販売用に陳列するための包装用の部材であって、収容したオリジナルデザイン切手が容易に折り曲げられない強度を有したシート材に切手収容部を形成していることで、１枚または数枚のセットとしたオリジナルデザイン切手をシート材に収容して折り曲げなどの損傷を受け難いコレクションに適した状態で店頭販売用に陳列することが可能となる。
【００１３】
更に外部から中を観察することができないように少なくとも一部を不透明とした包装部材によって被包することで、所望のオリジナルデザイン切手を入手できるか否かは偶然性に左右されるものとして販売することができ、購入者にとって意外性がありコレクション性をより刺激する販売形態が可能となる。
【００１４】
シート材に形成した切手収容部が外部から収容したオリジナルデザイン切手を観賞できるように透明素材によって形成され、しかも汚損を防止するためにオリジナルデザイン切手全体を被うことができるものとすることで、シート材に収容したままで鑑賞することが可能となりオリジナルデザイン切手の損傷の危険性が少ないものとして本発明品を提供することができるようになる。
【００１５】
シート材に収容したオリジナルデザイン切手と共にキャラクターカードやトレーディングカード、立体キャラクターフィギュアなどを併せて包装部材によって被包することで、商品としてコレクション性により優れ、需要者の購買意欲をより刺激する展開が可能となる。
【００１６】
包装部材として２分割できるようにされたカプセル形状のものを採用することで、立体的物品と組合せて商品化するに便利なものとなり、通常の店舗での陳列販売はもちろん、いわゆるガチャポンといわれる主として子供向けの玩具等をカプセルに入れて販売するために用いる自動販売機による販売を行うことも可能となる。
【００１７】
【発明の実施の形態】
上記した本発明の具体的な実施の形態について、添付図面にしたがって説明すると以下の如くである。
【００１８】
すなわち、図１は本発明によるオリジナルデザイン切手１をシート材２に収容し、さらに包装部材３によって被包する過程を示したものである。つまり、オリジナルデザイン切手１はシート材２に設けられた切手収容部４に収容した状態で被包部材３に入れて店頭販売用に陳列させるものである。
【００１９】
本発明では、上記被包部材３の少なくとも１部を不透明な素材によって形成して収容しているオリジナルデザイン切手１の切手表面デザインを購入者が店頭で確認し難いものとしている。これは、実際に購入してからでないと本当のデザインを確認できないものとすることで、偶然性に左右されるものとしてコレクション性を高めるためである。また、このような手法を採用することで、例えば、複数種類のオリジナルデザイン切手１ａ〜１ｎを一連のシリーズとして発売するような場合であっても、発行枚数に差を持たせて一部に希少価値を付与するといった形態を採用することも可能となる。
【００２０】
オリジナルデザイン切手１は、適切な強度を持ったシート材２に設けられた収容部４に挟み込むようにして収容するが、このとき収容部４を透明な素材によって形成すればオリジナルデザイン切手１をシート材２の収容部４に入れたままで鑑賞可能なものとなし得、前記のように容易に折り曲がったり汚れるおそれがない状態で適切な保存を行うことができる。
【００２１】
このようにシート材２の収容部４に入れたままでの保存性に優れたものとなし得るので、オリジナルデザイン切手１をコレクションするにはこのままの状態で専用のバインダーや切手帳に収容できるようにシート材２に適当な加工を施してもよい。また、オリジナルデザイン切手１の固有の表面デザインに合わせてシート材２の表面にも連続的なデザイン等を施したり(図２にその１例を示す)、透明素材による収容部４の表面にも部分的に関連キャラクター等のデザインを施してオリジナルデザイン切手１の出し入れで外観的変化を楽しむことができるようにしても構わない。
【００２２】
さらに、収容部４に適当な色彩を帯びた透明素材を採用すれば、オリジナルデザイン切手１の表面デザインの中で特定の色調の部分のみが収容部４に入れた状態では見えないといった変化を加えることも可能である。
【００２３】
また、オリジナルデザイン切手１をシート材２の収容部４に入れて包装部材３に封入するに際しては、図３に例示的に示すように、適宜なデザインを施したキャラクターカードやトレーディングカードといった別種のカード５や立体的キャラクターフィギュア６などを同封するものとしてもよい。この場合、別種のカード５自体をシート材２と兼用するものとしたり、強度保持用のシート材２とは別異なものとするとしても収容部４は別種カード５のカード面上に設けるものとして構わない。このようにする時には、カード面上のデザインもオリジナルデザイン切手１のデザインと調和するようにするのが望ましい。
【００２４】
さらに、立体的キャラクターフィギュア６を同封する場合は、図４に示すように、包装部材３として２分割できるカプセル７の如きを採用するのが望ましい。このようなカプセル７を利用すれば、通常店舗での陳列販売はもちろん、前記のように、所謂ガチャポンと言われるコイン式の自動販売機を利用することも可能である。
【００２５】
また、オリジナルデザイン切手１上にバーコード８などを利用した個別の識別情報を表示して、これを利用した照合処理によって購入者にインターネット経由等による様々な特典を与えるシステムとすることも容易である。
【００２６】
【発明の効果】
以上説明したような本発明によるならば、従来にないオリジナルデザインの切手をコレクション性が刺激される形態で販売することが可能となり、切手に対する新しい需要を喚起するものであって、工業的にもその価値が高い発明である。
【図面の簡単な説明】
【図１】本発明の基本的構成関係を示す説明図である。
【図２】シート材表面にもオリジナルデザイン切手と連続的なデザインを施した場合の１例を示した図面である。
【図３】キャラクターカード等と同封する場合について示した説明図である。
【図４】包装部材としてカプセルを採用し立体的フィギュアと同封する場合についての説明図面である。
【符号の説明】
１  オリジナルデザイン切手
２  シート材
３  包装部材
４  収容部
５  別種カード
６  立体的キャラクターフィギュア
７  ２分割カプセル
８  バーコード
【図１】
2004210319.tif 000003
【図２】
2004210319.tif 000004
【図３】
2004210319.tif 000005
【図４】
2004210319.tif 000006